(57)【要約】【課題】複数相の交流電力の電圧を変圧するように、各相毎に設けられる計器用変圧器を備えた配電盤において、絶縁性を確保しながら筐体を小型化することが可能な配電盤を提供する。【解決手段】この配電盤１００では、絶縁カバー７０を、筐体１０から離間した状態で計器用変圧器５０に固定させているとともに、導体接続端子部５０ｄと筐体１０との間に配置され導体接続端子部５０ｄと筐体１０の側壁部１０ｂとを絶縁するための対地間絶縁用部分７０ａを含むように構成する。【選択図】図２
2019092307.tif 000002
【特許請求の範囲】
【請求項１】
複数相の交流電力の電圧を変圧するように、各相毎に設けられる複数の計器用変圧器と、
前記計器用変圧器内の電気回路に通電導体を接続するための端子部を絶縁するための絶縁部材と、
前記計器用変圧器および前記絶縁部材が収納される金属製の筐体と、
を備え、
前記絶縁部材は、前記筐体から離間した状態で前記計器用変圧器に固定されているとともに、前記端子部と前記筐体との間に配置され前記端子部と前記筐体の側壁部とを絶縁するための第１部分を含む、配電盤。
【請求項２】
前記絶縁部材は、平板状に形成されているとともに、前記端子部間に配置され前記端子部間を絶縁するための第２部分と、前記第１部分および前記第２部分を接続する第３部分とをさらに含み、
前記第１部分と前記第２部分と前記第３部分とは、一体的に形成されている、請求項１に記載の配電盤。
【請求項３】
前記絶縁部材は、前記第１部分と前記第２部分と前記第３部分とにより、前記端子部を覆うように設けられている、請求項２に記載の配電盤。
【請求項４】
前記計器用変圧器は、３相の前記交流電力に対応するように３つ設けられ、
３つの前記計器用変圧器は、所定の方向に沿うように１列に配列されており、
前記端子部を覆うように設けられている前記絶縁部材は、所定の方向に沿うように１列に配列されている３つの前記計器用変圧器のうちの、両端部に配置されている前記計器用変圧器の前記端子部を覆うように２つ設けられている、請求項３に記載の配電盤。
【請求項５】
前記通電導体は、前記計器用変圧器が配列される方向と直交する方向に前記計器用変圧器から引き出されるように設けられており、
前記第１部分、前記第２部分および前記第３部分のうち少なくとも前記第１部分または前記第２部分は、前記通電導体が引き出される方向に延びるように設けられている、請求項２〜４のいずれか１項に記載の配電盤。
【請求項６】
前記第１部分または前記第２部分の少なくともいずれかは、前記筐体の側壁部に対して略平行に設けられている、請求項２〜５のいずれか１項に記載の配電盤。
【請求項７】
前記計器用変圧器は、前記通電導体を取り付け可能に構成されている導体支持部を含み、
前記絶縁部材は、前記導体支持部に取り付けられることにより前記計器用変圧器に固定されるように構成されている、請求項１〜６のいずれか１項に記載の配電盤。
【請求項８】
交流電力の電圧を変圧するように設けられる計器用変圧器と、
前記計器用変圧器の端子部を他部材と絶縁するための絶縁部材と、
前記計器用変圧器および前記絶縁部材が収納される金属製の筐体と、
を備え、
前記絶縁部材は、前記筐体から離間し前記計器用変圧器に固定されるとともに、
前記端子部と前記筐体の側壁部との空間距離を確保するための第１部分を含む、配電盤。
【発明の詳細な説明】
【技術分野】
【０００１】
この発明は、配電盤に関し、特に、複数相の交流電力の電圧を変圧するように、各相毎に設けられる複数の計器用変圧器を備えた配電盤に関する。
【背景技術】
【０００２】
従来、複数相の交流電力の電圧を変圧するように、各相毎に設けられる複数の計器用変圧器を備えた計器用変成器装置が知られている（たとえば、特許文献１参照）。
【０００３】
上記特許文献１に記載の計器用変成器装置では、各相毎に設けられた計器用変圧器は、一次コイルと二次コイルとから構成される環状のコイルを備えている。また、計器用変圧器では、コイルは、エポキシ樹脂でモールドされている。また、コイルの中央開口部を貫通するコアが設けられている。また、計器用変圧器には、一次コイルに接続された一次端子と、二次コイルに接続された二次端子とが設けられている。この各相（Ｒ相、Ｓ相およびＴ相）毎に設けられた３つの計器用変圧器は、所定の間隔で一列に配置されるとともに、床板に固定されている。
【先行技術文献】
【特許文献】
【０００４】
【特許文献１】特開２０１２−５９８９９号公報
【発明の概要】
【発明が解決しようとする課題】
【０００５】
ここで、上記特許文献１のような従来の計器用変成器装置を備えた配電盤では、小型化の要望がある。小型化を図る場合、各相毎の端子同士の間および端子と筐体との間の距離が小さくなるため、各相毎の端子同士の間（相間）と、端子と接地された筐体との間（対地間）の絶縁性を確保する必要がある。そこで、上記特許文献１のような従来の計器用変成器装置では、相間および対地間に絶縁部材を設けることが考えられる。また、絶縁部材は、絶縁部材の重量を支えるため、金属製の取付脚により筐体に取り付けられる場合がある。
【０００６】
しかしながら、上記特許文献１のような従来の計器用変成器装置において、小型化を図る場合に、金属製の取付脚により絶縁部材を筐体に取り付けた場合には、各相毎の端子と、金属製の取付脚との間の距離が短くなるため、相間および対地間における絶縁性を確保するのが困難になる場合がある。この場合、相間および対地間の絶縁を確保するために、相間および対地間の距離を長くする必要があるため、計器用変成器装置（配電盤）の筐体を小型化するのが困難になるという問題点がある。
【０００７】
この発明は、複数相の交流電力の電圧を変圧するように、各相毎に設けられる計器用変圧器を備えた配電盤において、絶縁性を確保しながら筐体を小型化することが可能な配電盤を提供することである。
【課題を解決するための手段】
【０００８】
上記目的を達成するために、この発明の第１の局面による配電盤は、複数相の交流電力の電圧を変圧するように、各相毎に設けられる複数の計器用変圧器と、計器用変圧器内の電気回路に通電導体を接続するための端子部を絶縁するための絶縁部材と、計器用変圧器および絶縁部材が収納される金属製の筐体と、を備え、絶縁部材は、筐体から離間した状態で計器用変圧器に固定されているとともに、端子部と筐体との間に配置され端子部と筐体の側壁部とを絶縁するための第１部分を含む。
【０００９】
この発明の第１の局面による配電盤では、上記のように、絶縁部材は、筐体から離間した状態で計器用変圧器に固定されているとともに、端子部と筐体との間に配置され端子部と筐体の側壁部とを絶縁するための第１部分を含む。これにより、金属製の取付脚を用いることなく絶縁部材を固定することができるので、金属製の取付脚を用いる場合（絶縁距離が端子部と金属製の取付脚との間の距離に相当する場合）と異なり、絶縁距離（端子部と筐体との間の距離に相当）が短くなるのが抑制される。その結果、端子部と筐体との間（対地間）の距離を長くすることなく絶縁性を確保することができるので、複数相の交流電力の電圧を変圧するように、各相毎に設けられる計器用変圧器を備えた配電盤において、絶縁性を確保しながら配電盤の筐体を小型化することができる。
【００１０】
上記第１の局面による配電盤において、好ましくは、絶縁部材は、平板状に形成されているとともに、端子部間に配置され端子部間を絶縁するための第２部分と、第１部分および第２部分を接続する第３部分とをさらに含み、第１部分と第２部分と第３部分とは、一体的に形成されている。このように構成すれば、端子部間に配置され端子部間を絶縁するための第２部分においても、第１部分と同様に、金属製の取付脚を用いる場合と異なり、絶縁距離（端子部間の距離に相当）が短くなるのが抑制される。その結果、端子部間（相間）の距離を長くすることなく絶縁性を確保することができるので、複数相の交流電力の電圧を変圧するように、各相毎に設けられる計器用変圧器を備えた配電盤において、絶縁性を確保しながら配電盤の筐体をより小型化することができる。
【００１１】
また、第１部分と第２部分と第３部分とが、一体的に形成されているので、第１部分と第２部分と第３部分とを別体として構成する場合と異なり、少ない部品点数で相間および対地間における絶縁性を確保することができるとともに、絶縁部材の構成を簡略化することができる。また、第１部分と第２部分と第３部分とを一体的に形成することによって、隣り合う計器用変圧器のうちの一方に第１部分と第２部分と第３部分とが一体的に形成された絶縁部材を設ければ、隣り合う計器用変圧器の端子部同士は、この計器用変圧器のうちの一方に設けられた絶縁部材の第２部分により絶縁される。すなわち、隣り合う計器用変圧器のうちの他方に、端子部同士を絶縁するための絶縁部材を設ける必要が無いので、少ない部品点数で相間および対地間における絶縁性を確保することができるとともに、配電盤の構成を簡略化することができる。
【００１２】
この場合、好ましくは、絶縁部材は、第１部分と第２部分と第３部分とにより、端子部を覆うように設けられている。このように構成すれば、端子部が第１部分と第２部分と第３部分とにより覆われるので、端子部と筐体との間（対地間）、および、端子部同士の間（相間）の絶縁をより効果的に確保することができる。
【００１３】
上記絶縁部材が端子部を覆うように設けられている構成において、好ましくは、計器用変圧器は、３相の交流電力に対応するように３つ設けられ、３つの計器用変圧器は、所定の方向に沿うように１列に配列されており、端子部を覆うように設けられている絶縁部材は、所定の方向に沿うように１列に配列されている３つの計器用変圧器のうちの、両端部に配置されている計器用変圧器の端子部を覆うように２つ設けられている。このように構成すれば、３つの計器用変圧器のうちの中央部に配置されている端子部を覆わなくても、両端部の計器用変圧器に設けられる絶縁部材の第２部分により、端子部間（相間）の絶縁を確保することができる。その結果、配電盤（絶縁部材）の構成をより簡略化することができる。
【００１４】
上記第１部分と第２部分と第３部分とを含む構成において、好ましくは、通電導体は、計器用変圧器が配列される方向と直交する方向に計器用変圧器から引き出されるように設けられており、第１部分、第２部分および第３部分のうち少なくとも第１部分または第２部分は、通電導体が引き出される方向に延びるように設けられている。このように構成すれば、端子部と同様に比較的高い電圧が印加される通電導体を、対地間および相間を絶縁する絶縁部材により絶縁することができる。その結果、通電導体を絶縁するための絶縁部材を別途設ける場合と異なり、配電盤（絶縁部材）の構成をさらに簡略化することができる。
【００１５】
上記第１部分と第２部分と第３部分とを含む構成において、好ましくは、第１部分または第２部分の少なくともいずれかは、筐体の側壁部に対して略平行に設けられている。このように構成すれば、第１部分または第２部分の少なくともいずれかと筐体の側壁部との間の距離が一定になるので、平板状に形成された第１部分または第２部分の筐体の側壁部が延びる方向に沿った一方の端部側と他方の端部側とで、相間または対地間における絶縁距離を容易に等しくすることができる。その結果、第１部分または第２部分を、相間または対地間における絶縁性を確保するように容易に配置することができる。また、第１部分または第２部分を筐体の側壁部に対して非平行に配置する場合と異なり、上下方向の所定の絶縁範囲を最短の長さでカバーすることができる。
【００１６】
上記第１の局面による配電盤において、好ましくは、計器用変圧器は、通電導体を取り付け可能に構成されている導体支持部を含み、絶縁部材は、導体支持部に取り付けられることにより計器用変圧器に固定されるように構成されている。このように構成すれば、予め計器用変圧器に設けられている導体支持部を用いて絶縁部材を取り付けることができるので、絶縁部材を取り付けるための部材を別途設けることなく絶縁部材を取り付けることができる。その結果、計器用変圧器の構成が複雑になるのを抑制することができる。
【００１７】
この発明の第２の局面による配電盤は、交流電力の電圧を変圧するように設けられる計器用変圧器と、計器用変圧器の端子部を他部材と絶縁するための絶縁部材と、計器用変圧器および絶縁部材が収納される金属製の筐体と、を備え、絶縁部材は、筐体から離間し計器用変圧器に固定されるとともに、端子部から筐体の側壁部までの空間距離を確保するための第１部分を含む。
【００１８】
この発明の第２の局面による配電盤では、上記のように、絶縁部材は、筐体から離間し計器用変圧器に固定されるとともに、端子部と筐体の側壁部との空間距離を確保するための第１部分を含む。これにより、金属製の取付脚を用いることなく絶縁部材を固定することができるので、金属製の取付脚を用いる場合（絶縁距離が端子部と金属製の取付脚との間の距離に相当する場合）と異なり、端子部と筐体の側壁部との空間距離を確保し易くなるので、絶縁距離（端子部と筐体との間の距離に相当）が短くなるのが抑制される。その結果、端子部と筐体との間（対地間）の距離を長くすることなく絶縁性を確保することができるので、複数相の交流電力の電圧を変圧するように、各相毎に設けられる計器用変圧器を備えた配電盤において、絶縁性を確保しながら配電盤の筐体を小型化することができる。
【発明の効果】
【００１９】
本発明によれば、上記のように、複数相の交流電力の電圧を変圧するように、各相毎に設けられる計器用変圧器を備えた配電盤において、絶縁性を確保しながら筐体を小型化することができる。
【図面の簡単な説明】
【００２０】
【図１】（ａ）は、本発明の一実施形態による配電盤の全体構成を示す側面図である。（ｂ）は、本発明の一実施形態による配電盤の全体構成を示す正面図である。
【図２】本発明の一実施形態による配電盤における計器用変圧器の構成を示す正面図である。
【図３】本発明の一実施形態による配電盤における計器用変圧器の構成を示す側面図である。
【発明を実施するための形態】
【００２１】
以下、本発明を具体化した実施形態を図面に基づいて説明する。
【００２２】
［本実施形態］
まず、図１を参照して、本発明の一実施形態による配電盤１００の全体構成について説明する。なお、配電盤１００は、たとえば、高圧受変電設備として内部に電気機器等が収納される金属閉鎖型配電盤である。
【００２３】
（配電盤の構成）
図１（ａ）に示すように、配電盤１００は、筐体１０と、遮断器２０と、計器用変流器３０と、接地用開閉器４０と、計器用変圧器５０と、を備えている。
【００２４】
筐体１０は、金属製であり、内部に収納される電気機器等を保護するため、接地されている。筐体１０の内部には、遮断器２０と、計器用変流器３０と、接地用開閉器４０と、計器用変圧器５０と、後述する絶縁カバー７０とが収納されている。遮断器２０、計器用変流器３０、接地用開閉器４０および計器用変圧器５０は、この順に通電導体６０により接続されており、筐体１０の内部において、電力回路が形成されている。
【００２５】
遮断器２０は、電力回路で事故が発生した場合等に上流側からの電流を遮断するための機器である。計器用変流器３０は、電力回路の電流を、大電流から計器類等において扱いやすい小電流に変換するための機器である。接地用開閉器４０は、遮断器２０により上流側とが遮断された状態で、遮断器２０から下流の電力回路（計器用変流器３０、計器用変圧器５０等の電気機器）を接地させるための機器である。計器用変圧器５０は、電力回路の電圧を、高電圧から計器類等において扱い易い低電圧に変換するための機器である。
【００２６】
なお、配電盤１００では、筐体１０の内部に収納される電気機器は、３相（Ｒ相、Ｓ相およびＴ相）の交流電力に対応するように構成されている。たとえば、図１（ｂ）に示すように、計器用変圧器５０は、３相の交流電力に対応するように３つ（計器用変圧器５１、５２および５３）設けられている。すなわち、計器用変圧器５０は、３相の交流電力の電圧を変圧するように、３相の各相毎に設けられている。また、本実施形態では、計器用変圧器５０（計器用変圧器５１、５２および５３）内の電気回路に通電導体６０を接続するための導体接続端子部５０ｄを絶縁するための絶縁カバー７０が設けられている。なお、導体接続端子部５０ｄは、特許請求の範囲の「端子部」の一例である。また、絶縁カバー７０は、特許請求の範囲の「絶縁部材」の一例である。
【００２７】
（計器用変圧器および絶縁部材の構成）
次に、図２および図３を参照して、計器用変圧器５０および絶縁カバー７０の構成について説明する。
【００２８】
３つの計器用変圧器５０（５１、５２、５３）は、図２に示すように、筐体１０の左右方向（Ｘ方向）に沿うように一列に配置されている。具体的には、計器用変圧器５１、５２および５３が、この順に、筐体１０の左側から右側に一列に並んで配置されている。なお、本明細書では、筐体１０の左右方向、前後方向および上下方向を、それぞれ、Ｘ方向、Ｙ方向およびＺ方向とする。また、筐体１０の左方向、右方向、上方向、下方向、前方向および後方向を、それぞれ、Ｘ１方向、Ｘ２方向、Ｙ１方向、Ｙ２方向、Ｚ１方向およびＺ２方向とする。
【００２９】
図２および図３に示すように、計器用変圧器５０（５１、５２、５３）は、本体部５０ａと、突出部５０ｂと、突出部５０ｃと、を備えている。なお、突出部５０ｃは、特許請求の範囲の「導体支持部」の一例である。
【００３０】
本体部５０ａは、筐体１０の床面１０ａに設置されている。突出部５０ｂおよび５０ｃは、図３に示すように、それぞれ、Ｘ方向から見て、本体部５０ａから上方（Ｚ１側）に突出するように配置されている。また、突出部５０ｂおよび５０ｃは、それぞれ、Ｘ方向から見て、Ｙ方向に沿って互いに隣り合うように配置されている。なお、突出部５０ｂは、筐体１０の後方側（Ｙ２側）に配置され、突出部５０ｃは、筐体１０の前方側（Ｙ１側）に配置されている。
【００３１】
導体接続端子部５０ｄは、突出部５０ｂの上端部に配置されている。また、導体接続端子部５０ｄには、３相の各相毎に対応するように、通電導体６０が接続されている。具体的には、図３に示すように、突出部５０ｂの上端部には、ボルト８０を嵌め込むためのボルト穴形状を有する導体接続端子部５０ｄが設けられている。配電盤１００では、通電導体６０は、平板状に形成され、かつ、ボルト穴（図示しない）が形成された先端部６０ａを有する。そして、先端部６０ａを突出部５０ｂの上端部に載置させた上で、ボルト８０を先端部６０ａに形成されたボルト穴を介して突出部５０ｂの導体接続端子部５０ｄに螺合させるにより、通電導体６０が導体接続端子部５０ｄに固定される。なお、導体接続端子部５０ｄは、計器用変圧器５０内の電気回路と接続された端子として構成されている。計器用変圧器５１、５２および５３の各々の導体接続端子部５０ｄには、それぞれ、通電導体６１、６２および６３が接続されている。なお、配電盤１００では、導体接続端子部５０ｄに接続される通電導体６０は、計器用変圧器５０に対して筐体１０の後方側（Ｙ２方向側）に引き出されている。
【００３２】
ここで、本実施形態では、２つの絶縁カバー７１および７３は、それぞれ、筐体１０から離間した状態で計器用変圧器５１および５３に固定されている。また、絶縁カバー７１および７３は、平板状に形成されている。そして、絶縁カバー７１および７３は、それぞれ、導体接続端子部５０ｄと筐体１０との間に配置され導体接続端子部５０ｄと筐体１０の側壁部１０ｂとを絶縁するための対地間絶縁用部分７０ａを含む。さらに、本実施形態では、導体接続端子部５０ｄ間に配置され導体接続端子部５０ｄ間を絶縁するための相間絶縁用部分７０ｂと、対地間絶縁用部分７０ａおよび相間絶縁用部分７０ｂを接続する接続用部分７０ｃを含む。なお、対地間絶縁用部分７０ａ、相間絶縁用部分７０ｂおよび接続用部分７０ｃは、それぞれ、特許請求の範囲の「第１部分」、「第２部分」および「第３部分」の一例である。
【００３３】
また、本実施形態では、対地間絶縁用部分７０ａは、導体接続端子部５０ｄと筐体１０の側壁部１０ｂとを絶縁するために、導体接続端子部５０ｄと筐体１０の側壁部１０ｂとの間の空間距離を確保するように構成されている。具体的には、対地間絶縁用部分７０ａは、図２に示すように、導体接続端子部５０ｄと側壁部１０ｂとを結ぶ最短距離を阻むように、側壁部１０ｂに対して略平行に設けられている。
【００３４】
また、２つの絶縁カバー７０（７１、７３）は、図２および図３に示すように、絶縁カバー７０を突出部５０ｃに固定するための固定用部分７０ｄを含む。なお、接続用部分７０ｃと固定用部分７０ｄとは、段差状に（互いの高さ位置が異なるように）設けられている。
【００３５】
具体的には、図２に示すように、絶縁カバー７１の対地間絶縁用部分７０ａは、Ｙ方向から見て、計器用変圧器５１の導体接続端子部５０ｄと筐体１０のＸ１側（左側）の側壁部１０ｂとの間に配置されている。また、絶縁カバー７３の対地間絶縁用部分７０ａは、Ｙ方向から見て、計器用変圧器５３の導体接続端子部５０ｄと筐体１０のＸ２側（右側）の側壁部１０ｂとの間に配置されている。これにより、導体接続端子部５０ｄと筐体１０の側壁部１０ｂとの間を絶縁することが可能である。
【００３６】
また、図２に示すように、絶縁カバー７１の相間絶縁用部分７０ｂは、Ｙ方向から見て、計器用変圧器５１の導体接続端子部５０ｄと、計器用変圧器５２の導体接続端子部５０ｄとの間に配置されている。また、絶縁カバー７３の相間絶縁用部分７０ｂは、Ｙ方向から見て、計器用変圧器５２の導体接続端子部５０ｄと、計器用変圧器５３の導体接続端子部５０ｄとの間に配置されている。これにより、計器用変圧器５１〜５３の各々の導体接続端子部５０ｄ同士の間を絶縁することが可能である。
【００３７】
また、本実施形態では、対地間絶縁用部分７０ａと相間絶縁用部分７０ｂと接続用部分７０ｃとは一体的に形成されている。そして、本実施形態では、絶縁カバー７０は、対地間絶縁用部分７０ａと相間絶縁用部分７０ｂと接続用部分７０ｃとにより、導体接続端子部５０ｄを覆うように設けられている。より詳細には、絶縁カバー７０（７１、７３）は、Ｘ方向に沿うように１列に配列されている３つの計器用変圧器５０のうちの、両端部に配置されている計器用変圧器５１および５３のそれぞれの導体接続端子部５０ｄを覆うように２つ設けられている。また、２つの絶縁カバー７０（７１、７３）は、箱形状を有する。
【００３８】
具体的には、図２に示すように、導体接続端子部５０ｄの両側にそれぞれ配置される対地間絶縁用部分７０ａおよび相間絶縁用部分７０ｂは、Ｙ方向から見て、上下方向（Ｚ方向）に延びるように配置されている。すなわち、本実施形態では、対地間絶縁用部分７０ａおよび相間絶縁用部分７０ｂは、Ｙ方向から見て、側壁部１０ｂに対して略平行に設けられている。そして、接続用部分７０ｃは、Ｙ方向から見て、対地間絶縁用部分７０ａの上側（Ｚ１側）の端部と、相間絶縁用部分７０ｂの上側（Ｚ１側）の端部とを接続するように、左右方向（Ｘ方向）に延びるように配置されている。また、図３に示すように、本実施形態では、対地間絶縁用部分７０ａ、相間絶縁用部分７０ｂおよび接続用部分７０ｃは、通電導体６０が引き出される方向であるＹ方向に延びるように構成されている。その結果、導体接続端子部５０ｄは、絶縁カバー７１（７３）の一体的に形成された対地間絶縁用部分７０ａ、相間絶縁用部分７０ｂおよび接続用部分７０ｃにより、左側（Ｘ１側）、右側（Ｘ２側）、上側（Ｚ１側）が覆われている。
【００３９】
また、本実施形態では、上記のように、絶縁カバー７０は、筐体１０から離間した状態で計器用変圧器５０に固定されている。詳細には、本実施形態では、計器用変圧器５０は、通電導体６０を取り付け可能に構成されている突出部５０ｃを含む。そして、絶縁カバー７０の固定用部分７０ｄが突出部５０ｃに取り付けられることにより、絶縁カバー７０は、計器用変圧器５０に固定されるように構成されている。
【００４０】
具体的には、図３に示すように、突出部５０ｂに設けられた導体接続端子部５０ｄと同様の構成の導体接続端子部５０ｄが突出部５０ｃにも設けられている。これにより、固定用部分７０ｄを突出部５０ｃに接触させた状態で、ボルト８０を導体接続端子部５０ｄに螺合させることにより、固定用部分７０ｄが突出部５０ｃに固定される。その結果、絶縁カバー７０は、筐体１０に取り付けられることなく、筐体１０から離間した状態で計器用変圧器５０に固定される。
【００４１】
（本実施形態の効果）
本実施形態では、以下のような効果を得ることができる。
【００４２】
本実施形態では、上記のように、絶縁カバー７０を、筐体１０から離間した状態で計器用変圧器５０に固定させているとともに、導体接続端子部５０ｄと筐体１０との間に配置され導体接続端子部５０ｄと筐体１０の側壁部１０ｂとを絶縁するための対地間絶縁用部分７０ａを含むように構成する。これにより、金属製の取付脚を用いることなく絶縁カバー７０を固定することができるので、金属製の取付脚を用いる場合（絶縁距離が導体接続端子部５０ｄと金属製の取付脚との間の距離に相当する場合）と異なり、絶縁距離（導体接続端子部５０ｄと筐体１０との間の距離に相当）が短くなるのが抑制される。その結果、導体接続端子部５０ｄと筐体１０との間（対地間）の距離を長くすることなく絶縁性を確保することができるので、複数相の交流電力の電圧を変圧するように、各相毎に設けられる計器用変圧器５０を備えた配電盤１００において、絶縁性を確保しながら配電盤１００の筐体１０を小型化するのを抑制することができる。
【００４３】
また、本実施形態では、上記のように、絶縁カバー７０を、平板状に形成させているとともに、導体接続端子部５０ｄ間に配置され導体接続端子部５０ｄ間を絶縁するための相間絶縁用部分７０ｂと、対地間絶縁用部分７０ａおよび相間絶縁用部分７０ｂを接続する接続用部分７０ｃとを含み、対地間絶縁用部分７０ａと相間絶縁用部分７０ｂと接続用部分７０ｃとは、一体的に形成させている。これにより、導体接続端子部５０ｄ間に配置され導体接続端子部５０ｄ間を絶縁するための相間絶縁用部分７０ｂにおいても、対地間絶縁用部分７０ａと同様に、金属製の取付脚を用いる場合と異なり、絶縁距離（導体接続端子部５０ｄ間の距離に相当）が短くなるのが抑制される。その結果、導体接続端子部５０ｄ間（相間）の距離を長くすることなく絶縁性を確保することができるので、複数相の交流電力の電圧を変圧するように、各相毎に設けられる計器用変圧器５０を備えた配電盤１００において、絶縁性を確保しながら配電盤１００の筐体１０をより小型化することができる。
【００４４】
また、対地間絶縁用部分７０ａと相間絶縁用部分７０ｂと接続用部分７０ｃとが、一体的に形成されているので、対地間絶縁用部分７０ａと相間絶縁用部分７０ｂと接続用部分７０ｃとを別体として構成する場合と異なり、少ない部品点数で相間および対地間における絶縁性を確保することができるとともに、絶縁カバー７０の構成を簡略化することができる。また、対地間絶縁用部分７０ａと相間絶縁用部分７０ｂと接続用部分７０ｃとを一体的に形成することによって、隣り合う計器用変圧器５０のうちの一方に対地間絶縁用部分７０ａと相間絶縁用部分７０ｂと接続用部分７０ｃとが一体的に形成された絶縁カバー７０を設ければ、隣り合う計器用変圧器５０の導体接続端子部５０ｄ同士は、この計器用変圧器５０のうちの一方に設けられた絶縁カバー７０の相間絶縁用部分７０ｂにより絶縁される。すなわち、隣り合う計器用変圧器５０のうちの他方に、導体接続端子部５０ｄ同士を絶縁するための絶縁カバー７０を設ける必要が無いので、少ない部品点数で相間および対地間における絶縁性を確保することができるとともに、配電盤１００の構成を簡略化することができる。
【００４５】
また、本実施形態では、上記のように、絶縁カバー７０を、対地間絶縁用部分７０ａと相間絶縁用部分７０ｂと接続用部分７０ｃとにより、導体接続端子部５０ｄを覆うように設けている。これにより、導体接続端子部５０ｄが対地間絶縁用部分７０ａと相間絶縁用部分７０ｂと接続用部分７０ｃとにより覆われるので、導体接続端子部５０ｄと筐体１０との間（対地間）、および、導体接続端子部５０ｄ同士の間（相間）の絶縁をより効果的に確保することができる。
【００４６】
また、本実施形態では、上記のように、計器用変圧器５０を、３相の交流電力に対応するように３つ設け、３つの計器用変圧器５０（５１、５２、５３）を、所定の方向（Ｘ方向）に沿うように１列に配列させており、導体接続端子部５０ｄを覆うように設けられている絶縁カバー７０を、所定の方向（Ｘ方向）に沿うように１列に配列されている３つの計器用変圧器５０（５１、５２、５３）のうちの、両端部に配置されている計器用変圧器５１の導体接続端子部５０ｄおよび計器用変圧器５３の導体接続端子部５０ｄを覆うように２つ設けている。これにより、３つの計器用変圧器５０（５１、５２、５３）のうちの中央部に配置されている計器用変圧器５２の導体接続端子部５０ｄを覆わなくても、両端部の計器用変圧器５１および５３に設けられる絶縁カバー７０の相間絶縁用部分７０ｂにより、導体接続端子部５０ｄ間（相間）の絶縁を確保することができる。その結果、配電盤１００（絶縁カバー７０）の構成をより簡略化することができる。
【００４７】
また、本実施形態では、上記のように、通電導体６０を、計器用変圧器５０が配列される方向（Ｘ方向）と直交する方向（Ｙ方向）に計器用変圧器５０から引き出されるように設けており、対地間絶縁用部分７０ａおよび相間絶縁用部分７０ｂを、通電導体６０が引き出される方向（Ｙ方向）に延びるように設けている。これにより、導体接続端子部５０ｄと同様に比較的高い電圧が印加される通電導体６０を、対地間および相間を絶縁する絶縁カバー７０により絶縁することができる。その結果、通電導体６０を絶縁するための絶縁カバー７０を別途設ける場合と異なり、配電盤１００（絶縁カバー７０）の構成をさらに簡略化することができる。
【００４８】
また、本実施形態では、上記のように、対地間絶縁用部分７０ａおよび相間絶縁用部分７０ｂを、筐体１０の側壁部１０ｂに対して略平行に設けている。これにより、対地間絶縁用部分７０ａおよび相間絶縁用部分７０ｂと筐体１０の側壁部１０ｂとの間の距離が一定になるので、平板状に形成された対地間絶縁用部分７０ａおよび相間絶縁用部分７０ｂの筐体１０の側壁部１０ｂが延びる方向（Ｚ方向）に沿った一方の端部側と他方の端部側とで、相間および対地間における絶縁距離を容易に等しくすることができる。その結果、対地間絶縁用部分７０ａおよび相間絶縁用部分７０ｂを、相間および対地間における絶縁性を確保するように容易に配置することができる。また、対地間絶縁用部分７０ａおよび相間絶縁用部分７０ｂを筐体１０の側壁部１０ｂに対して非平行に配置する場合と異なり、上下方向（Ｚ方向）の所定の絶縁範囲を最短の長さでカバーすることができる。
【００４９】
また、本実施形態では、上記のように、計器用変圧器５０を、通電導体６０を取り付け可能に構成されている突出部５０ｃを含むように構成させ、絶縁カバー７０が、突出部５０ｃに取り付けられることにより計器用変圧器５０に固定されるように構成させている。これにより、予め計器用変圧器５０に設けられている突出部５０ｃを用いて絶縁カバー７０を取り付けることができるので、絶縁カバー７０を取り付けるための部材を別途設けることなく絶縁カバー７０を取り付けることができる。その結果、計器用変圧器５０の構成が複雑になるのを抑制することができる。
【００５０】
また、本実施形態では、上記のように、絶縁カバー７０を、筐体１０から離間し計器用変圧器５０に固定されるとともに、導体接続端子部５０ｄと筐体１０の側壁部１０ｂとの空間距離を確保するための対地間絶縁用部分７０ａを含むように構成する。これにより、金属製の取付脚を用いることなく絶縁カバー７０を固定することができるので、金属製の取付脚を用いる場合（絶縁距離が端子部と金属製の取付脚との間の距離に相当する場合）と異なり、導体接続端子部５０ｄと筐体１０の側壁部１０ｂとの空間距離を確保し易くなるので、絶縁距離（導体接続端子部５０ｄと筐体１０との間の距離に相当）が短くなるのが抑制される。その結果、導体接続端子部５０ｄと筐体１０との間（対地間）の距離を長くすることなく絶縁性を確保することができるので、複数相の交流電力の電圧を変圧するように、各相毎に設けられる計器用変圧器５０を備えた配電盤１００において、絶縁性を確保しながら配電盤１００の筐体１０を小型化することができる。
【００５１】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５２】
たとえば、上記実施形態では、対地間絶縁用部分７０ａおよび相間絶縁用部分７０ｂを、筐体１０の側壁部１０ｂに対して略平行に設けるように構成させた例を示したが、本発明はこれに限られない。本発明では、対地間絶縁用部分または相間絶縁用部分のいずれかのみを、筐体の側壁部に対して略平行に設けるように構成してもよい。また、対地間絶縁用部分および相間絶縁用部分を、筐体の側壁部に対して略平行に設けないように構成してもよい。
【００５３】
また、上記実施形態では、絶縁カバー７０において、接続用部分７０ｃと固定用部分７０ｄとが段差状に（高さ位置が互いに異なるように）設けられる例を示したが、本発明はこれに限られない。たとえば、接続用部分と固定用部分との高さ位置が同一であってもよい。
【００５４】
また、上記実施形態では、接続用部分７０ｃが導体接続端子部５０ｄの上方を覆うように設けられている例を示したが、本発明はこれに限られない。本発明では、接続用部分は、対地間絶縁用部分と相間絶縁用部分とを接続していればよく、接続用部分が導体接続端子部を覆わないように構成してもよい。
【００５５】
また、上記実施形態では、絶縁カバー７０を、平板状に形成されている例を示したが、本発明はこれに限られない。本発明では、対地間または相間の絶縁することが可能であれば、絶縁カバー７０が、平板状以外の形状によって形成されていてもよい。
【符号の説明】
【００５６】
１０  筐体
１０ｂ  （筐体の）側壁部
５０（５１、５２、５３）  計器用変圧器
５０ｃ  突出部（導体支持部）
５０ｄ  導体接続端子部（端子部）
６０（６１、６２、６３）  通電導体
７０（７１、７３）  絶縁カバー（絶縁部材）
７０ａ  対地間絶縁用部分（第１部分）
７０ｂ  相間絶縁用部分（第２部分）
７０ｃ  接続用部分（第３部分）
１００  配電盤
【図１】
2019092307.tif 000003
【図２】
2019092307.tif 000004
【図３】
2019092307.tif 000005